(57)【要約】早替え切断アセンブリは、切断刃を支持するための支持面を有している基部と、締め付け面を有している締め付けアームと、基部と締め付けアームとの間に介在するばねと、締め付けアームを基部に連結してばねと締め付け面との間にある枢軸の中心軸を規定している枢軸とを備えている。ばねは、締め付け面を、支持面とその間にある切断刃の方に偏倚させている。締め付けアームは、締め付け面が支持面と平行な位置にある閉位置と、閉位置から移動して締め付け面が支持面からより隔たった位置にある開位置との間で回転可能である。切断アセンブリは、さらに、ばねの偏倚動作方向を横切り、閉位置にある場合に締め付けアームを基部に接続して締め付けアームが基部に対して回転しないようにする、止めピンを有している。【選択図】図１
2021511972.tif 000002
【特許請求の範囲】
【請求項１】
切断刃を支持するための支持面を有している基部と、締め付け面を有している締め付けアームと、前記基部と前記締め付けアームとの間に介在するばねと、前記ばねと前記締め付け面との間にあって前記締め付けアームを前記基部に連結している枢軸とを備えている、早替え切断アセンブリであって、前記ばねは、前記締め付け面を、前記切断刃に向かって前記支持面の方に偏倚させている、早替え切断アセンブリ。
【請求項２】
前記締め付け面は前記支持面に平行な位置にある、請求項１記載の切断アセンブリ。
【請求項３】
前記締め付け面は、前記枢軸が規定する枢軸の中心軸を中心にして、前記締め付け面が前記支持面と平行な位置にある閉位置と、前記閉位置から移動して前記締め付け面が前記支持面からより隔たった位置にある開位置との間で回転可能である、請求項１または２に記載の切断アセンブリ。
【請求項４】
さらに、前記ばねの偏倚動作を横切り、前記締め付けアームが閉位置にある場合に、前記締め付けアームを前記基部に接続して前記締め付けアームが前記基部に対して回転しないようにする、止めピンを備えている、請求項３記載の切断アセンブリ。
【請求項４】
前記支持面から突出していて、前記支持面に平行な方向の切断刃の動きを最小限にする、刃ホルダを備えている、請求項１または先行する請求項のいずれか１項に記載の切断アセンブリ。
【請求項５】
前記締め付けアームは開口を有し、前記締め付けアームが閉位置にある場合に、前記刃ホルダは、前記締め付けアーム内の前記開口内へと延びる、請求項３に従属する場合における請求項４に記載の切断アセンブリ。
【請求項６】
前記支持面は平面状であり、前記刃ホルダは前記支持面の外周を越えて突出している、請求項４記載の切断アセンブリ。
【請求項７】
前記支持面上で支持されている切断刃を備えている、請求項４記載の切断アセンブリ。
【請求項８】
前記切断刃は、前記支持面から突出している保持ピンを収容するように構成されている開口を有している、請求項７記載の切断アセンブリ。
【発明の詳細な説明】
【発明の詳細な説明】
【０００１】
［技術分野］
本発明は、切断刃を支持するアセンブリであって、必要に応じて切断刃の素早い交換を容易にするアセンブリに関する。
【０００２】
［背景技術］
配送に使用される段ボール容器は、一部が組み立てられていることがあり、その場合一部が組み立てられた状態で切断して、所望の高さの容器を作製することがある。切断作業には切断刃が用いられているが、時間がたつと研磨または交換する必要がある。
【０００３】
［発明の概要］
本発明は、切断作業中に切断刃を支持するとともに、必要に応じて切断刃の素早い交換をも容易にするためのアセンブリを提供する。現行のアセンブリは、使用中は切断刃を確実に保持する一方で、既存のアセンブリは、一般に、切断刃を脱着して交換するために素早く外すことができない。
【０００４】
以下の段落では、本発明の請求項の言い換えを行っている。
より具体的には、本発明は、切断刃を支持するための支持面を有している基部と、締め付け面を有している締め付けアームと、基部と締め付けアームとの間に介在するばねと、ばねと締め付け面との間にあって締め付けアームを基部に連結している枢軸とを備えている、早替え切断アセンブリを提供する。ばねは、締め付け面を、切断刃に向かって支持面の方に偏倚させている。
【０００５】
切断アセンブリの１つ以上の実施形態において、（ａ）締め付け面は支持面に平行な位置にあり、（ｂ）締め付け面は、枢軸が規定する枢軸の中心軸を中心にして、締め付け面が支持面と平行な位置にある閉位置と、閉位置から移動して締め付け面が支持面からより隔たった位置にある開位置との間で回転可能である。切断アセンブリは、さらに、ばねの偏倚動作を横切り、締め付けアームが閉位置にある場合に、締め付けアームを基部に接続して締め付けアームが基部に対して回転しないようにする、止めピンを有し得る。
【０００６】
切断アセンブリは、支持面から突出していて、支持面に平行な方向の切断刃の動きを最小限にする、刃ホルダを有することもある。例えば、締め付けアームは開口を有していて、締め付けアームが閉位置にある場合に、刃ホルダは、締め付けアーム内の開口内へと延びていてもよい。
【０００７】
１つ以上の実施形態において、支持面は平面状であり、刃ホルダは、支持面の外周を越えて突出している。
切断アセンブリは、支持面上で支持されている切断刃を有していてもよい。また、切断刃は、支持面から突出している保持ピンを収容するように構成されている開口を有していてもよい。
【０００８】
本発明の上述の特徴及び他の特徴は、以下に全て記載されており、特に請求項内で明示されている。以下に続く説明及び添付図面は、本発明のある例示的な実施形態を詳細に示したものであるが、これらの実施形態は、本発明の原理を用いることが可能な様々な手法のうちの数例を示しているにすぎない。
【図面の簡単な説明】
【０００９】
【図１】図１は、本発明に従って提供した例示的な早替え切断刃アセンブリの斜視図である。
【図２】図２は、図１の早替え切断刃アセンブリの斜視図であり、内部の構造や構成要素をより良く図示するために一部を半透明で描いている。
【図３】図３は、図１の早替え切断刃アセンブリの側面図である。
【図４】図４は、図１の早替え切断刃アセンブリの平面図である。
【図５】図５は、図１の早替え切断刃アセンブリの底面図である。
【図６】図６は、図１の早替え切断刃アセンブリの左側面図である。
【図７】図７は、図１の早替え切断刃アセンブリの右側面図である。
【図８】図８は、図１の早替え切断刃アセンブリにおける図４の線８−８に沿った断面図である。
【図９】図９は、図１の早替え切断刃アセンブリの分解図である。
【発明を実施するための形態】
【００１０】
［発明の詳細な説明］
上記で説明したように、本発明は、切断作業中に切断刃１２を支持するとともに、必要に応じて切断刃１２の素早い交換を容易にするアセンブリ１０を提供する。
【００１１】
早替え切断アセンブリ１０は、切断刃１２を支持する支持面１６を有している基部１４と、支持面１６に対向している締め付け面２２を有している締め付けアーム２０と、基部１４と締め付けアーム２０との間に介在するばね２４と、ばね２４と締め付け面２２との間にあって、締め付けアーム２０もまた基部１４に回転可能に連結する枢軸２６とを有している。ばね２４は、締め付け面２２を、切断刃１２に向かって支持面１６の方に偏倚させている。
【００１２】
図示されている基部１４はさらに、切断アセンブリ１０を別の構造に装着する手段を有しており、その手段は、基部１４内にあるそれぞれの貫通孔３２に通過して延びて収容されていてもよい１対の装着ボルト３０の形状をしている。
【００１３】
図示されている切断アセンブリ１０はまた、たった１つではなく複数のばね２４、ただし１対のばね２４を有していて、ばね２４はそれぞれが基部１４内にあるばね閉じ込めポケット３４に収容されており、ばね閉じ込めポケット３４は、ばね２４が、基部１４、締め付けアーム２０、及び枢軸２６に対して所定の位置を保持するのに役立つ。
【００１４】
締め付けアーム２０は、外側方向に延びて基部１４内の凹部３６の中に収容される枢軸ブロック４０を有している。枢軸ブロック４０は、横方向貫通路４２を有しており、横方向貫通路４２は、基部１４内において凹部３６の両側へと延びる横方向路４４と一列に配置され、枢軸ピン４６を受けるようになっており、枢軸ピン４６は、枢軸ブロック４０内の貫通路４２を通って延び、横方向路４４の対向箇所内に収容されることによって、凹部３６の両側で基部１４を係合している。枢軸ピン４６は円筒形であり、基部１４に対して締め付けアーム２０が回転する枢軸の中心軸を規定している。
【００１５】
枢軸ピン４６が基部１４及び締め付けアーム２０と係合した結果、この構成によって、締め付けアーム２０が、枢軸ピン４６が規定する枢軸の中心軸を中心にして、締め付け面２２が支持面１６と平行な位置にある閉位置と、閉位置から移動して締め付け面２２が支持面１６からより隔たった位置にある開位置との間で回転することが可能になる。閉位置では、締め付けアーム２０の締め付け面２２は、基部１４の支持面１６に平行な位置にあり、その間に、締め付けられる切断刃１２の厚み程度の間隔をあけて配置されている。
【００１６】
例示的な切断刃１２は平面状で、刃先５０が支持面１６と締め付け面２２との間から突出した状態である。支持面１６からは刃ホルダが突出しており、支持面１６に平行な方向への切断刃１２の動きを最小限にする、またはなくす。図示されている実施形態では、支持面１６の外周の辺りにある基部１４の突出部分５２がさらに切断刃１２を支持して、支持面１６に平行な方向への切断刃１２の動きを防ぐ、または最小限にする。また、支持面１６からは保持ピン５６が突出しており、切断刃１２内にある開口５４を貫通して、切断刃１２をさらに確実に所定の位置に固定する。締め付け面２２はまた、保持ピン５６の端部を受けるための開口６２を有していてもよい。保持ピン５６の反対側の端部は、支持面１６にある開口６４内に収容されてもよく、あるいは保持ピン５６は、基部１４と一体成形されていてもよい。もしくは、保持ピン５６は、締め付けアーム２０に恒久的に固定されているか、または締め付けアーム２０内に一体成形されているかの状態で、支持面１６の開口６４内に収容されても良い。
【００１７】
切断アセンブリ１０はさらに、ばね２４の動作方向を横切る方向に延び、閉位置において、ばね２４または複数のばね２４の動作に逆らって締め付けアーム２０を止める、止めピン７０を有していてもよい。止めピン７０は、締め付けアーム２０内にある開口７２を貫通して基部１４内の一列に並んだ穴７４に入ることによって、締め付けアーム２０が、止めピン７０を横切る方向に、基部１４に対して相対的に動かないようにする。図示されている実施形態では、止めピン７０は、挿入又は取外しを行うために止めピン７０を握りやすくする把手７６に連結されていて、締め付けアーム２０と基部１４との間の相対的な動きを可能にしたり防止したりする。図示されている実施形態では、締め付けアーム２０は断面がＬ字型であり、止めピン７０はＬ字型の片方の端部から基部１４の端部内へと延び、枢軸ピン４６及び枢軸の中心軸を垂直に横切る。あるいは、締め付けアーム２０は、止めピン７０が枢軸ピン４６及び枢軸の中心軸に平行な方向に延びて基部１４の前側または後側へと到達した状態で、図示されている実施形態ではＬ字型の対応する端部に垂直な基部１４の前側または後側に延びる部分を有していてもよい。
【００１８】
切断アセンブリ１０は、支持面１６上で支持される切断刃１２がある状態又はない状態で販売され得るが、切断アセンブリ１０は、切断作業を行うために切断刃１２を支持するのに使用されることが意図されている。
【００１９】
以上のことをまとめると、本発明は、切断刃１２を支持するための支持面１６を有している基部１４と、締め付け面２２を有している締め付けアーム２０と、基部１４と締め付けアーム２０との間に介在するばね２４と、締め付けアーム２０を基部１４に連結していて、ばね２４と締め付け面２２との間にある枢軸の中心軸を規定し、締付けアーム２０を基部１４に連結する枢軸２８とを有している、早替え切断アセンブリ１０を提供する。ばね２４は、締め付け面２２を、支持面１６と、その間にある切断刃１２の方とに偏倚させている。締め付けアーム２０は、締め付け面２２が支持面と平行な位置にある閉位置と、閉位置から移動して締め付け面２２が支持面１６からより隔たった位置にある開位置との間で回転可能である。切断アセンブリ１０は、さらに、ばね２４の動作方向を横切り、閉位置にある場合に、締め付けアーム２０を基部１４に接続して締め付けアーム２０が基部１４に対して回転しないようにする、止めピン７０を有している。
【００２０】
図示された実施形態または複数の実施形態に関して本発明を提示し説明してきたが、当業者にとっては、本明細書や添付図面を読んで理解すれば同等な修正や改変が思い浮かぶであろう。特に上述の数字によって行われた種々の機能（構成要素、アセンブリ、装置、構成等）については、このような数字を説明するのに用いられた用語（「手段」への言及を含む）は、特に明記されてなければ、本明細書で示されている本発明の実施形態、または複数の実施形態における機能を実行する開示された構造と構造的には同等ではないとしても、その特定の機能を行う（つまり機能的に同等である）いずれの数字にも相当することが意図されている。
【図１】
2021511972.tif 000003
【図２】
2021511972.tif 000004
【図３】
2021511972.tif 000005
【図４】
2021511972.tif 000006
【図５】
2021511972.tif 000007
【図６】
2021511972.tif 000008
【図７】
2021511972.tif 000009
【図８】
2021511972.tif 000010
【図９】
2021511972.tif 000011
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
切断刃を支持するための支持面を有している基部と、締め付け面を有している締め付けアームと、前記基部と前記締め付けアームとの間に介在するばねと、前記ばねと前記締め付け面との間にあって前記締め付けアームを前記基部に連結している枢軸とを備えている、早替え切断アセンブリであって、前記ばねは、前記締め付け面を、前記切断刃に向かって前記支持面の方に偏倚させている、早替え切断アセンブリ。
【請求項２】
前記締め付け面は前記支持面に平行な位置にある、請求項１記載の早替え切断アセンブリ。
【請求項３】
前記締め付け面は、前記枢軸が規定する枢軸の中心軸を中心にして、前記締め付け面が前記支持面と平行な位置にある閉位置と、前記閉位置から移動して前記締め付け面が前記支持面からより隔たった位置にある開位置との間で回転可能である、請求項１または２に記載の早替え切断アセンブリ。
【請求項４】
さらに、前記ばねの偏倚動作を横切り、前記締め付けアームが閉位置にある場合に、前記締め付けアームを前記基部に接続して前記締め付けアームが前記基部に対して回転しないようにする、止めピンを備えている、請求項３に記載の早替え切断アセンブリ。
【請求項５】
前記支持面から突出していて、前記支持面に平行な方向の切断刃の動きを最小限にする、刃ホルダを備えている、請求項１または先行する請求項のいずれか１項に記載の早替え切断アセンブリ。
【請求項６】
前記締め付けアームは開口を有し、前記締め付けアームが閉位置にある場合に、前記刃ホルダは、前記締め付けアーム内の前記開口内へと延びる、請求項３に従属する場合における請求項５に記載の早替え切断アセンブリ。
【請求項７】
前記支持面は平面状であり、前記刃ホルダは前記支持面の外周を越えて突出している、請求項５記載の早替え切断アセンブリ。
【請求項８】
前記支持面上で支持されている切断刃を備えている、請求項４又は請求項５に記載の早替え切断アセンブリ。
【請求項９】
前記切断刃は、前記支持面から突出している保持ピンを収容するように構成されている開口を有している、請求項８に記載の早替え切断アセンブリ。
【国際調査報告】
2021511972.tif 000012
2021511972.tif 000013